(57)【特許請求の範囲】
【請求項１】
不透明な容器本体と、容器本体の口筒部に取着され、上端にノズルヘッドを取着したポンプと、容器本体の胴周壁内に、上昇可能に嵌挿された摺動底板と、容器本体の下端に取着された底蓋とからなる液注出容器であって、
摺動底板は、下端に底板を連設した筒体を具備し、
底板下面に係止片を設け、該係止片に上栓部材を吊り下げた線材を連設した係止リングを取着しており、
底蓋は、底板と側周壁とからなり、底板に保持筒を立設し、保持筒の所定位置には、上栓部材を支持する係止板を連設し、
前記上栓部材に、係止板の下側から底栓部材を取着したことを特徴とする液注出容器。
【発明の詳細な説明】
【技術分野】
【０００１】
本発明は、液注出容器、とくに不透明な容器本体に収納した内容物の残量を確認可能としたポンプ付底上げタイプのクリーム状液注出容器に関するものである。
【背景技術】
【０００２】
不透明な容器本体に内容物を収納したポンプ付底上げタイプのクリーム状液注出容器において、摺動底板が一定の上昇位置に達したときに、摺動底板の下面に装着した球体を落下させ、その状態で容器を振ると、球体が容器内面に衝突して音を発生するようにした容器は、従来より知られている（例えば、特許文献１参照）。
【特許文献１】特開２００２−３２０８８６号公報
【発明の開示】
【発明が解決しようとする課題】
【０００３】
しかしながら、上記特許文献１記載の容器では、摺動底板の球体保持部が、ポンプのシリンダー下端に圧接したときに、球体が落下するようにしており、そのため、内容液が無くなったときはわかるが、内容液が少なくなり、一定の残量となったときを知ることはできなかった。
そのため、新しい容器を求め、それとの交換を準備しておく時期がわからないという問題が生じるおそれがあった。
【０００４】
本発明は、上記問題を解決することを課題とし、遮光のために不透明な容器本体を具えた液注出容器において、内容液の注出時に、内容液が残り少なくなり、一定量の残量となったことを知ることができるようにしたポンプ付底上げタイプのクリーム状液注出容器を提供することを目的とする。
【課題を解決するための手段】
【０００５】
本発明は、上記の課題を解決するため、液注出容器として、不透明な容器本体と、容器本体の口筒部に取着され、上端にノズルヘッドを取着したポンプと、容器本体の胴周壁内に、上昇可能に嵌挿された摺動底板と、容器本体の下端に取着された底蓋とからなる液注出容器であって、摺動底板は、下端に底板を連設した筒体を具備し、底板下面に係止片を設け、該係止片に上栓部材を吊り下げた線材を連設した係止リングを取着しており、底蓋は、底板と側周壁とからなり、底板に保持筒を立設し、保持筒の所定位置には、上栓部材を支持する係止板を連設し、前記上栓部材に、係止板の下側から底栓部材を取着したことを特徴とする構成を採用する。
【発明の効果】
【０００６】
摺動底板の底板下面の係止片に、一定の長さを有する線材によって栓部材を吊り下げ、底蓋の底板に栓部材に係止される底栓を保持した保持筒を設け、摺動底板が一定の上昇位置になったときに、底栓が保持筒から離れ落下し、上栓部材が係止片を中心に揺動できるようになった。  
【０００７】
底栓の落下を確認することによって、内容液の残量が一定量になったことを知ることができ、さらに、容器を振ることによって、栓部材が振り子となって容器本体の胴周壁内面に衝突して音が発生するので、内容液の残量が一定量以下になっていることを知ることができる。
また、線材の長さを変えることによって、確認しようとする残量を調節することができる。
【発明を実施するための最良の形態】
【０００８】
次に、本発明の液注出容器の実施形態について、図面を参照して説明する。
図１において、Ａは容器本体、Ｂは上端にノズルヘッドＣを取着したポンプ、Ｄは摺動底板、Ｅは底蓋である。
容器本体Ａは、不透明な合成樹脂で形成され、内容液として遮光の必要なクリーム状液が収納されている。
【０００９】
容器本体Ａは、口筒部１と肩部２、下端を開放端とした胴周壁３とからなっており、口筒部１には、ねじ４が螺設されている。
胴周壁３下端には、底蓋Ｅの取付部５が形成されている。
【００１０】
ポンプＢは、シリンダー１０と有底筒状のピストン１１とを具えており、シリンダー１０は、ねじ４に螺合するねじを螺設し、ガイド筒を具えた取付キャップ１２によって、容器本体Ａの口筒部１に取着されている。
シリンダー１０の下端底面には、吸込弁１３が設けられており、ピストン１１の下端部周面には、ピストン弁１４が配設され、ピストン１１の上下動に応じて、シリンダー室１０ａからピストン１１内に、開口を通じて内容液が圧入するようになっている。
【００１１】
ピストン１１のステム１５には、ノズル１６を設けたノズルヘッドＣが取付筒１７を介して装着されており、ノズルヘッドＣと取付キャップ１２との間には、スプリング１８が弾装されている。
【００１２】
ポンプＢ、ノズルヘッドＣは、ノズルヘッドＣを上下動することによって内容液を吸上げ、ノズル１６より内容液を吐出できるものであればよく、その構成は、従来より公知のものを採用することができ、前記のポンプ装置に限定されない。
【００１３】
図１、２に示すように、摺動底板Ｄは、胴周壁３内面に摺動自在に嵌挿されるスカート状の弾性周壁２０を連設した環状の傾斜板２１と、該傾斜板２１の内周縁から垂設され、下端に底板２２を連設した筒体２３とからなっている。
傾斜板２１の傾斜角度は、肩部２の傾斜とほぼ一致しており、筒体２３は、ポンプＢのシリンダー１０下部外周を覆う大きさとなっており、ポンプＢによって摺動底板Ｄの上方の内容液は、ほぼ完全に注出される。
【００１４】
底板２２の下面には、下端に膨出環を設けた係止片２４が垂設されており、該係止片２４には、下端に上栓部材２５を吊り下げた線材２６を連設した係止リング２７が嵌挿係止されている。
係止リング２７、線材２６、上栓部材２５は、一体形成されているが、別体として形成、結合してもよい。
【００１５】
上栓部材２５は、上部筒部３０と、有底の下部筒部３１と、下部筒部３１の下面に垂設された係止突部３２とからなっている。
摺動底板Ｄの底蓋Ｅへの載置時には、上部筒部３０の内周には係止リング２７が、下部筒部３１の内周には係止片２４の先端が収納されるようになっている。
【００１６】
底蓋Ｅは、環状の底板３５と、底板３５の内周縁に立設され、摺動底板Ｄの底板２２を載置する保持筒３６と、底板３５の外周縁部に立設され、容器本体Ａの胴周壁３の下端の取付部５に嵌合する側周壁３７とからなっている。
保持筒３６内の所定の位置には、中央に円形の開口を設けた係止板３８が連設され、下方から底栓部材３９が挿入される。
【００１７】
底栓部材３９は、保持筒３６内周径より僅かに小径の底壁４０と、底壁４０の中央に係止板３８の厚さより高く立設され、外周が係止板３８の開口内周径より僅かに小径で、内周が摺動底板Ｄの上栓部材２５の係止突部３２と係合する係合筒４１とからなっている。
【００１８】
係止板３８の内周縁に、底栓部材３９と摺動底板Ｄの上栓部材２５の係止突部３２とが係合することにより、上栓部材２５と底栓部材３９を空気の流路となる隙間を持って装着される。
また、底板３５の所定の位置に、空気の流路となる空気孔を穿設することにより、係止板３８の内周縁に、上栓部材２５と底栓部材３９とを隙間を持たずに装着するように底栓部材３９の係合筒４１を形成してもよい。
【００１９】
次に、本液注出容器の作用効果について説明する。
本発明の液注出容器には、内容物として、クリーム状液が収納され、ノズルヘッドＣの押下げ操作により、容器本体Ａ内の内容液がポンプＢによって吸上げられ、ノズル１６から吐出される。
【００２０】
内容液の吸上げに応じて容器本体Ａ内が負圧となり、摺動底板Ｄが上昇するとともに、底蓋Ｅの空気の流路より大気が導入される。
摺動底板Ｄの上昇に応じて、底板２２下面の係止片２４に係合する係止リング２７を通じて線材２６が引上げられる。
【００２１】
図３に示すように、摺動底板Ｄが一定の位置まで上昇すると、線材２６により上栓部材２５が引っ張り上げられ、さらに摺動底板Ｄが上昇すると、図４に示すように、上栓部材２５と底栓部材３９との係合が外れ、上栓部材２５は上方に引上げられ、底栓部材３９は係止板３８にさえぎられて、容器外に落下する。
底栓部材３９の落下により、内容液が一定の残量となったことを知ることができる。
【００２２】
その際、液注出容器を手に保持している場合は、底栓部材３９の落下ははっきりと確認することができ、台板や床面に載置して使用している場合には、底栓部材３９が載置面に衝突したときに音を発生するので、一定の残量となったことを認識することもできる。
【００２３】
底栓部材の落下が確認できない場合でも、使用者が内容液が残り少なくなったと思ったときに液注出容器を振ると、上栓部材２５が容器の胴周壁３内面に衝突して音がでるので、内容液が一定の残量を超えて、残り少なくなっていることを確認することができ、次の新しい液注出容器を準備しなければならならいことを知ることができる。
【００２４】
確認したい一定量の残量を変えるときには、線材２６の長さ、または底蓋Ｅの保持筒３６の係止板３８の位置を調節することによって、適宜変更することができる。
【産業上の利用可能性】
【００２５】
本発明は、ポンプ付底上げタイプの液注出容器において、摺動底板の上昇に伴い、底蓋の上栓部材が底蓋から外れて揺動できるようにするとともに底栓部材が落下するので、一定の残量以下になったことを知ることができる。
そして、本発明は、内容液の種類の如何にかかわらず、不透明な容器本体を有する液注出容器に利用することができ、さらに、半透明な容器本体の場合でも利用することができる。
【図面の簡単な説明】
【００２６】
【図１】本発明液注出容器の一部断面立面図である。
【図２】上昇中の摺動底板と底蓋を拡大した一部断面立面図である。
【図３】摺動底板が一定位置に上昇したときの一部断面立面図である。
【図４】底栓部材が上栓部材から離れ、落下したときの一部断面立面図である。
【符号の説明】
【００２７】
Ａ      容器本体
Ｂ      ポンプ
Ｃ      ノズルヘッド
Ｄ      摺動底板
Ｅ      底蓋
１      口筒部
２      肩部
３      胴周壁
４      ねじ
５      取付部
１０    シリンダー
１０ａ  シリンダー室
１１    ピストン
１２    取付キャップ
１３    吸込弁
１４    ピストン弁
１５    ステム
１６    ノズル
１７    取付筒
１８    スプリング
２０    弾性周壁
２１    傾斜板
２２    底板
２３    筒体
２４    係止片
２５    上栓部材
２６    線材
２７    係止リング
３０    上部筒部
３１    下部筒部
３２    係止突部
３５    底板
３６    保持筒
３７    側周壁
３８    係止板
３９    底栓部材
４０    底壁
４１    係合筒
【図１】
0004584076.tif 000002
【図２】
0004584076.tif 000003
【図３】
0004584076.tif 000004
【図４】
0004584076.tif 000005